(57)【特許請求の範囲】
【請求項１】
放送信号を受信する受信部、番組の終了を検出する検出部及びユーザからの操作を受ける操作部を備え、番組の終了前後に装置が操作されない場合に電源を切る放送信号受信装置において、
番組終了の前後一定時間装置が操作されない場合に電源を切ることを特徴とする放送信号受信装置。
【請求項２】
請求項１に記載の放送信号受信装置において、
ユーザが前記各一定時間をあらかじめ設定できることを特徴とする放送信号受信装置。
【請求項３】
請求項１に記載の放送信号受信装置において、
放送信号受信装置ではなく接続された他の機器の電源を切る機能を備えたことを特徴とする放送信号受信装置。
【請求項４】
請求項１に記載の放送信号受信装置において、
接続された他の機器の電源も切る機能を備えたことを特徴とする放送信号受信装置。
【請求項５】
請求項１に記載の放送信号受信装置において、
表示部を備えており、自動的に電源が切れる一定時間前に前記表示部にコーションを表示することを特徴とする放送信号受信装置。
【請求項６】
請求項１に記載の放送信号受信装置において、
音声出力機能を備えており、自動的に電源が切れる一定時間前に音により電源が切れることを警告することを特徴とする放送信号受信装置。
【請求項７】
請求項５又は請求項６に記載の放送信号受信装置において、
ユーザが前記一定時間を設定できるようにしたことを特徴とする放送信号受信装置。
【発明の詳細な説明】
【技術分野】
【０００１】
本発明は、ユーザが放送信号受信装置を利用していない時の電力の消費を軽減する技術に関する。
【背景技術】
【０００２】
放送信号受信装置の受信する放送信号には、一般のテレビ放送のみならず、ＣＡＴＶ放送、インターネットによる番組放送、ＬＡＮスポット等からのサーバー型番組放送などの種々の放送信号が含まれ、種々のタイプの放送信号を受信する装置の開発が進められている。また、放送信号受信装置としては、映像表示部を持たないデジタルチューナなどの放送信号の受信専用装置のほか、受信した放送信号の映像情報や音声情報を記録再生する記録部を備えた放送信号受信装置や、受信した放送信号や記録再生した放送信号の映像情報を表示する映像表示部や音声情報を出力する音声出力部をも備えた多機能の放送信号受信装置などが知られている。
特許文献１には、受信信号にテレビ信号を一定時間検出できないときに電源をオフすることが記載されている。
【特許文献１】特開平７−３２２１６号公報
【発明の開示】
【発明が解決しようとする課題】
【０００３】
しかしながら、受信信号にテレビ信号を一定時間検出できないときに電源をオフする従来技術では、日中には、受信信号が常に検出されるため、ユーザがテレビ信号受信装置を利用していないことを検出できない。また、ユーザによるチャンネル変更などの操作が一定時間無ければ電源を切る手法も実用化されているが、映画などを受信する場合では長時間操作を行わない可能性があり、時間設定を長時間にしなければならず、電源が切れるまで時間がかかるという問題があった。
【０００４】
本発明は、ユーザが放送信号受信装置を利用していないことを検出、あるいはユーザの操作状況から放送信号受信装置を利用しないことを予測して、自動的に装置の電源を切ることを目的とする。
【課題を解決するための手段】
【０００５】
本発明の放送信号受信装置は、放送信号を受信する受信部、番組の終了を検出する検出部及びユーザからの操作を受ける操作部を備え、番組の終了前後に装置が操作されない場合に電源を切ることを特徴とする。
例えば、放送信号または電子番組表から番組切り替わりを検出する検出部と、ユーザからの装置操作を受ける操作部とを備える放送信号受信装置において、番組切り替わりを検出し、その前後の期間にユーザが装置に対し操作を行っていないとき、電源を切る。
【発明の効果】
【０００６】
本発明によれば、番組の切り替わる時間帯において操作をしない場合に、自動的に電源を切れば、従来よりも短い時間でユーザが放送信号受信装置を利用していないことを検出でき、節電効果を向上することができる。
【発明を実施するための最良の形態】
【０００７】
以下、図面を用いて、本発明の実施の形態について説明する。
【実施例１】
【０００８】
図１に、本発明の実施例１による番組の受信例と自動電源ＯＦＦ機能の概要を示す。
画面上の番組は、Ａ１→Ｂ１→Ｂ２→Ｂ３→Ａ２→Ａ３のように推移するとする。番組Ｂ１，Ｂ２の終わり前後では、チャンネル切り替えがあるので電源が切れないが、番組Ａ２の終わり前後では、チャンネルの切り替えが無いので自動的に電源がＯＦＦする。ただし、音量などの操作があれば電源は切れないように構成されている。
【０００９】
デジタル放送により、テレビ信号受信機が番組の切り替わりを判別できるようになったので、例えば、デジタル放送中のEvent id(イベント識別子)を検出することで、番組の終了を判別することが可能である。あるいは、電子番組表（ＥＰＧ：Electronic Program Guide）のデータから番組の終了を検出することも可能である。電子番組表（ＥＰＧ）は、デジタル放送以外に、アナログ放送やインターネットを通じて取得が可能であり、地上アナログ放送では、例えば、ＴＢＳ系列のＧガイド（G-guide）や、テレビ朝日系列のＡＤＡＭＳ−ＥＰＧ（TV-Asahi Data and Multimedia Service-EPG）が知られており、インターネットを通じて提供されるＥＰＧとしては、ｉＥＰＧ（Internet Electronic Program Guide）などが知られている。
【００１０】
本発明では、ユーザの装置操作は番組の切り替わりにおいて頻繁に行われる点に着目し、番組の終了を検出し、その前後のユーザの操作の有無を調べて、ユーザが装置を使っていないことをより精度良く検出し、電源を切ることで、節電が可能となっている。
電源を自動で切る場合は、ユーザ設定で事前に警告表示を行なってから電源を切ることも可能である。
【００１１】
図２に、本発明の自動電源ＯＦＦ機能付き放送信号受信装置のブロック図を示す。
自動電源ＯＦＦ機能付き放送信号受信装置は、チューナあるいは外部入力装置からの信号入力部１、入力された信号を処理して映像信号及び音声信号を出力する映像／音声処理部２、映像信号を表示する表示部３、音声信号を出力する音声出力部４を備えており、入力された映像／音声信号が、表示部３に表示され、音声出力部４に出力される。
【００１２】
また、信号入力部１からの入力信号の電子番組表（ＥＰＧ）データを解読するＥＰＧデコード部５、遠隔制御のリモコン（Ｒ／Ｃ）信号を受信するＲ／Ｃ受信部６、表示装置本体の操作信号を入力する本体キー７、表示装置を制御するマイコン部８、ユーザ設定記憶メモリ９、表示装置の電源部１０を備えており、Ｒ／Ｃ受信部６または本体キー７から入力された信号がユーザ設定記憶メモリ９に記憶され、ＥＰＧデコード部５からの番組終了信号と、ユーザ設定記憶メモリ９に記憶された情報と、Ｒ／Ｃ受信部６または本体キー７から入力された操作信号と、に基づいて、マイコン部８が電源部１０のＯＮ／ＯＦＦを制御する。
【００１３】
図３に、本発明の自動電源ＯＦＦ機能のフローチャートを示し、図４に、本発明の自動電源ＯＦＦ機能の時間軸での処理説明図を示す。
図３に示されるように、ステップ１１において、装置の電源が入ると、まず、ステップ１２において、ユーザが本機能を利用するように設定しているかどうかのチェックが行われる。利用する場合には、ステップ１３において、各種のデータの取得が行われる。無操作時間として、前回の操作から操作がなされていない継続期間が測定され、番組終了後経過時間として、前回の番組終了後からの経過時間が測定され、ユーザが予め設定し、ユーザ設定記憶メモリに格納してあるユーザ設定時間１とユーザ設定時間２とコーション時間とが参照される。
【００１４】
図４に示されるように、ユーザ設定時間１は、番組終了の前側に設定されるユーザ設定時間であり、ユーザ設定時間２は、番組終了の後側に設定されるユーザ設定時間である。また、コーション時間は、自動電源オフを行う前に、注意を喚起する時間であり、警告表示や警告音の発生以後、コーション時間の経過後に自動的に電源オフがなされる時間である。コーション時間は、ユーザ設定時間１、ユーザ設定時間２と同様に、予め、ユーザが設定して、ユーザ設定記憶メモリに格納してある。
【００１５】
次いで、ステップ１４において、無操作時間から番組終了後経過時間を減算した値が、ユーザ設定時間１よりも小さいかどうかの判定がなされる。小さい場合には、処理１ということで、ステップ１２に移行し、自動電源オフ機能のチェックがなされ、ステップ１３で各種データの取得動作が行われる。
【００１６】
無操作時間から番組終了後経過時間を減算した値が、ユーザ設定時間１以上の場合には、ステップ１５に移行し、ユーザ設定時間２から番組終了後経過時間を減算した値を電源オフ猶予期間として設定して、ステップ１６に移行する。
【００１７】
ステップ１６では、電源オフ猶予期間がコーション時間以下であるかどうかの判定がなされる。電源オフ猶予期間がコーション時間以下の場合には、処理３ということで、ステップ１７に移行して、コーション表示と警告音の発生を行って、ステップ１８に移行し、電源オフ猶予期間がコーション時間より大きい場合には、処理２ということで、ステップ１２に移行し、自動電源オフ機能が繰り返される。
【００１８】
ステップ１８では、電源オフ猶予期間が０分以下であるかどうかが判定される。電源オフ猶予期間が０分以下の場合には、ステップ１９に移行し、自動的に電源がオフに制御される。電源オフ猶予期間が０分より大きい場合には、電源オフまでに猶予期間があるということで、ステップ１２に移行し、自動電源オフ機能が繰り返される。
【００１９】
図５から図７に、本発明の実施例１の自動電源ＯＦＦ機能付き放送信号受信装置の動作例１〜動作例３を示す。
図５に記載された動作例１は、０：３０にユーザ操作がなされ、１：００に番組が終了するケースである。予め、コーション時間が３分に、ユーザ設定時間が番組の前後に１０分、５分と設定されているとすると、番組終了前の１０分以内前にユーザ操作がなく、その後、何もユーザ操作がないので、番組が終了して、２分後、コーション表示（電源オフの警告）がなされ、コーション期間の３分の経過後、１：０５に自動的に電源がオフする。
【００２０】
図６に記載された動作例２は、０：３０と１：０４にユーザ操作がなされ、１：００に番組が終了したケースである。コーション時間とユーザ設定時間１，２は、動作例１と同じである。
番組終了前１０分以内に操作が無く、番組終了後も操作が無い状態で、番組が終了して、２分後、コーション表示（電源オフの警告）がなされ、自動電源オフの前の１：０４に操作がなされたので、電源はオフされずに、処理１の最初の動作に戻る。
【００２１】
図７に記載された動作例３は、０：５５にユーザ操作がなされ、１：００に番組が終了したケースである。コーション時間とユーザ設定時間１，２は、動作例１と同じである。
動作例３では、番組終了前１０分以内に操作があるので、１：００の番組終了に伴って自動電源オフがなされることはなく、処理１を続ける。電源がオフされないので、次の番組が受信され、表示されることとなるが、その番組の終了時に、自動電源ＯＦＦ機能が作動して、ユーザ操作がない場合には、所定の条件で自動的に電源がオフされる。
【実施例２】
【００２２】
図８に、本発明の実施例２を示す。
実施例１においては、番組終了は、ＥＰＧでコード部５において、電子番組表データから判定されたが、実施例２では、番組終了は、イベントＩＤ検出部２５において、信号入力部１からのデジタル放送のイベント識別子（Event id）を取得して、イベント識別子の変化により番組の終了を判定する。図８においては、実施例１と同様の構成については、同じ符号を用いて記載している。
【実施例３】
【００２３】
上記実施例１及び実施例２は、自動電源ＯＦＦ機能付きの放送信号受信装置として、テレビ信号受信装置の例を示したが、本発明はテレビ信号受信装置のみならず、放送信号を受信して記録する放送信号受信装置、放送信号記録再生装置、あるいは、放送信号表示装置に適用可能である。放送信号受信装置の受信する放送信号には、一般のテレビ放送のみならず、ＣＡＴＶ放送、インターネットによる番組放送、ＬＡＮスポット等からのサーバー型番組放送などの種々の放送信号が含まれる。
また、装置が操作されない場合に自動的に電源を切る機能は、放送信号受信装置の電源を切る場合のみならず、放送信号受信装置に接続された他の装置の電源を自動的にオフするように構成することができる。
また、例えば、ＥＰＧ装置が作動している場合には、放送信号受信装置の自動電源ＯＦＦを停止するなど、他の機能と、本発明の自動電源ＯＦＦ機能とを組み合わせて使用することもできる。
【図面の簡単な説明】
【００２４】
【図１】図１は、本発明による番組の受信例と自動電源ＯＦＦを示す概要図である。
【図２】図２は、本発明の実施例１の放送信号受信装置のブロック図である。
【図３】図３は、本発明の自動電源ＯＦＦ機能のフローチャートである。
【図４】図４は、本発明の自動電源ＯＦＦ機能の時間軸での処理説明図である。
【図５】図５は、本発明の動作例１を示す図である。
【図６】図６は、本発明の動作例２を示す図である。
【図７】図７は、本発明の動作例３を示す図である。
【図８】図８は、本発明の実施例２の放送信号受信装置のブロック図である。
【符号の説明】
【００２５】
１    信号入力部
２    映像／音声処理
３    表示部
４    音声出力
５    ＥＰＧデコード部
６    Ｒ／Ｃ受信部
７    本体キー
８    マイコン
９    ユーザ設定記憶メモリ
１０    電源部
２５    イベントＩＤ検出部
【図１】
0004712548.tif 000002
【図２】
0004712548.tif 000003
【図３】
0004712548.tif 000004
【図４】
0004712548.tif 000005
【図５】
0004712548.tif 000006
【図６】
0004712548.tif 000007
【図７】
0004712548.tif 000008
【図８】
0004712548.tif 000009